(57)【特許請求の範囲】
【請求項１】
並設された複数のフラット導体がフラット絶縁被覆で絶縁されてなるフラットケーブルの前記各フラット導体の端部にそれぞれ端子が接続され、これら端子がコネクタハウジングの各端子室にそれぞれ挿入されて係止され、前記各端子室の間は仕切り壁で仕切られているコネクタ付きフラットケーブルにおいて、
前記フラットケーブルの端部では前記フラット絶縁被覆に、前記コネクタハウジングの前記仕切り壁を挿入する切り離し部が設けられ、
前記フラット絶縁被覆の前記切り離し部は、前記各フラット導体にそれぞれ接続された前記端子が前記各端子室にそれぞれ挿入された状態で、前記仕切り壁に対応する位置での切り離し幅よりも、前記仕切り壁から外れた位置での切り離し幅が狭くなっていることを特徴とするコネクタ付きフラットケーブル。
【請求項２】
並設された複数のフラット導体がフラット絶縁被覆で絶縁されてなるフラットケーブルの前記各フラット導体の端部にそれぞれ端子が接続され、これら端子がコネクタハウジングの各端子室にそれぞれ挿入されて係止され、前記各端子室の間は仕切り壁で仕切られているコネクタ付きフラットケーブルにおいて、
前記フラットケーブルの端部では前記フラット絶縁被覆に、前記コネクタハウジングの前記仕切り壁を挿入する切り離し部が設けられ、
前記フラット絶縁被覆の前記切り離し部は、前記各フラット導体にそれぞれ接続された前記端子が前記各端子室にそれぞれ挿入された状態で、前記仕切り壁に対応する位置での切り離し幅よりも、前記仕切り壁から外れた位置での切り離し幅が狭くなっているように設けられ、
前記フラット絶縁被覆の前記切り離し部での前記各フラット導体の幅方向の両側における前記フラット絶縁被覆の絶縁幅は、前記各フラット導体にそれぞれ接続された前記端子が前記各端子室にそれぞれ挿入された状態で、前記仕切り壁に対応する位置での前記フラット絶縁被覆の絶縁幅よりも、前記仕切り壁から外れた位置での前記フラット絶縁被覆の絶縁幅が広くなっていることを特徴とするコネクタ付きフラットケーブル。
【請求項３】
前記フラット絶縁被覆の前記切り離し部の前記仕切り壁が挿入される部分は、前記仕切り壁の厚みより幅が大きいスリットにより形成されていることを特徴とする請求項１または２に記載のコネクタ付きフラットケーブル。
【請求項４】
前記フラットケーブルの端部ではその幅方向の両側に、前記コネクタハウジングに挿入できるように前記フラット絶縁被覆を切除した切除部が設けられていることを特徴とする請求項１，２または３に記載のコネクタ付きフラットケーブル。
【請求項５】
前記コネクタハウジングの後部には、該コネクタハウジングの後部外面の突起を利用して、この突起に係合されて前記コネクタハウジングの後面を塞ぎ且つ前記フラットケーブルを押さえるリテーナが配置されていることを特徴とする請求項１，２，３または４に記載のコネクタ付きフラットケーブル。
【発明の詳細な説明】
【０００１】
【発明の属する技術分野】
本発明は、フラットケーブルの端部にコネクタを接続したコネクタ付きフラットケーブルに関するものである。
【０００２】
【従来の技術】
従来、電気機器や自動車の電気配線は、古くから使用されている断面が丸形の各電線を用いてその端部に端子をそれぞれ接続し、これらの端子をコネクタハウジングの各端子室にそれぞれ挿入して係止させ、コネクタハウジングの各端子室の間は仕切り壁で仕切ってコネクタを構成したコネクタ付きフラットケーブルが使用され、このコネクタを用いて電気的接続を行っていた。
【０００３】
しかしながら、最近は断面が丸形の各電線の代りに、配線の薄型化や小型化、取扱いの容易さ等の理由により、並設された複数の導体をフラット絶縁被覆で絶縁したフラットケーブルを用いて配線を行うようになってきている。
【０００４】
フラットケーブルの端部にコネクタを接続する場合には、図１２（Ａ）〜（Ｅ）に示すように並設された複数のフラット導体１をフラット絶縁被覆２で絶縁したフラットケーブル３を用いて、その端部に端子４をそれぞれ接続し、これら端子４をコネクタハウジング５の各端子室６にそれぞれ挿入してコネクタハウジング５の係止部材７で係止し、各端子室６の間は仕切り壁８で仕切り、コネクタハウジング５の後部でフラットケーブル３が挿入される箇所では仕切り壁８が存在しない構造とし、コネクタハウジング５の後部はリテーナ９で塞ぎ、仕切り壁８に対応する箇所ではリテーナ９の仕切り壁１０で仕切ると共にフラットケーブル３を押えてコネクタ１１を構成することが考えられる。
【０００５】
この場合、端子４は、図１２（Ａ）に示すように、筒状の端子本体１２と、該端子本体１２と一体の板状の首部１３と、該首部１３の幅方向の両端から立上げられた複数のクリンプ片１４とを備え、各クリンプ片１４をフラットケーブル３にフラット導体１の箇所で突き刺して導通をとり、通り抜けた各クリンプ片１４を曲げてフラットケーブル３を保持した構造になっている。
【０００６】
リテーナ９は、フラットケーブル３の上に載ってコネクタハウジング５の後部を塞ぐ蓋部材１５と、この蓋部材１５から仕切り壁１０に対して直交する向きで突設されて該仕切り壁１０に一体化されている仕切り壁支持プレート１６とで構成されている。
【０００７】
【発明が解決しようとする課題】
しかしながら、フラットケーブル３への接続のために例えば図１２（Ａ）〜（Ｅ）に示すようなコネクタ１１を使用すると、このコネクタハウジング５はフラットケーブル３用のコネクタハウジングであるため、接続するフラット導体１の本数に応じて新たに複数種類を設計して作成しなければならず、コスト高になる問題点があった。
【０００８】
本発明の目的は、断面が丸形の電線用の既存のコネクタハウジングを用いてフラットケーブルに接続できるコネクタ付きフラットケーブルを提供することにある。
【０００９】
本発明の他の目的は、低コストで形成できるコネクタ付きフラットケーブルを提供することにある。
【００１０】
本発明の他の目的は、フラット絶縁被覆の切り離し部での隣接するフラット導体の短絡を防止できるコネクタ付きフラットケーブルを提供することにある。
【００１１】
【課題を解決するための手段】
本発明は、並設された複数のフラット導体がフラット絶縁被覆で絶縁されてなるフラットケーブルの各フラット導体の端部にそれぞれ端子が接続され、これら端子がコネクタハウジングの各端子室にそれぞれ挿入されて係止され、各端子室の間は仕切り壁で仕切られているコネクタ付きフラットケーブルを改良するものである。
【００１２】
本発明に係るコネクタ付きフラットケーブルにおいては、フラットケーブルの端部ではフラット絶縁被覆に、コネクタハウジングの仕切り壁を挿入する切り離し部が設けられていることを特徴とする。
【００１３】
このようにフラットケーブルの端部のフラット絶縁被覆に、コネクタハウジングの仕切り壁を挿入する切り離し部を設けると、この切り離し部を利用することによりフラットケーブルの端部を、断面が丸形の電線用の既存のコネクタハウジングに挿入することができ、このためコネクタハウジングとして断面が丸形の電線用の既存のコネクタハウジングをそのまま使用でき、新たにフラットケーブル用のコネクタハウジングを設計して製作する必要がなくなる。このため断面が丸形の電線用の既存のコネクタハウジングをそのまま使用できて、コネクタのコストダウンを図ることができ、低コストでコネクタ付きフラットケーブルを形成することができる。
【００１４】
この場合、フラット絶縁被覆の切り離し部が仕切り壁の厚みよりも幅が大きいスリットにより形成されていると、この切り離し部を利用して容易にフラットケーブルを、断面が丸形の電線用の既存のコネクタハウジングに挿入することができる。
【００１５】
また、フラット絶縁被覆の切り離し部が、各フラット導体にそれぞれ接続された端子が各端子室にそれぞれ挿入された状態で、仕切り壁に対応する位置での切り離し幅よりも、仕切り壁から外れた位置での切り離し幅が狭くなっていると、仕切り壁に対応する位置では該仕切り壁により隣接するフラット導体が短絡するを防止でき、仕切り壁から外れた位置ではフラット導体の幅方向の両側のフラット絶縁被覆の絶縁幅が広くなっていて隣接するフラット導体が短絡するを防止できる。
この場合も、フラット絶縁被覆の切り離し部の仕切り壁が挿入される部分が、仕切り壁の厚みより幅が大きいスリットにより形成されていると、この切り離し部を利用して容易にフラットケーブルを、断面が丸形の電線用の既存のコネクタハウジングに挿入することができる。
【００１６】
また、フラット絶縁被覆の切り離し部での各フラット導体の幅方向の両側のフラット絶縁被覆の絶縁幅を、各フラット導体にそれぞれ接続された端子が各端子室にそれぞれ挿入された状態で、仕切り壁に対応する位置でのフラット絶縁被覆の絶縁幅よりも、仕切り壁から外れた位置でのフラット絶縁被覆の絶縁幅を広くすると、仕切り壁に対応する位置では該仕切り壁により隣接するフラット導体が短絡するを防止でき、仕切り壁から外れた位置ではフラット導体の幅方向の両側のフラット絶縁被覆の絶縁幅が広くなっているので隣接するフラット導体が短絡するを防止できる。
【００１７】
また、フラットケーブルの端部ではその幅方向の両側に、コネクタハウジングに挿入できるようにフラット絶縁被覆を切除した切除部が設けられていると、そのままではフラットケーブルの端部でその幅方向の寸法が大きくて、断面が丸形の電線用の既存のコネクタハウジングに挿入できないフラットケーブルでも、その幅が小さくなって容易に該コネクタハウジングに挿入することができる。
【００１８】
さらに、コネクタハウジングの後部には、該コネクタハウジングの後部外面の突起を利用して、この突起に係合されてコネクタハウジングの後面を塞ぎ且つフラットケーブルを押さえるリテーナが配置されていると、コネクタハウジングの後部から端子室への異物の侵入を防止できると共にコネクタハウジングの外に存在するフラットケーブルに外力が加わっても、フラットケーブルと端子との接続部にその外力が作用して電気的接続状態に不都合が生ずるのを防止することができる。
【００１９】
【発明の実施の形態】
図１（Ａ）（Ｂ）及び図２（Ａ）〜（Ｄ）は本発明が対象とするコネクタ付きフラットケーブルの構成の参考例を示したもので、図１（Ａ）（Ｂ）は本例におけるフラットケーブルに対する端子の取付け前と後の状態を示す斜視図、図２（Ａ）は本例のコネクタ付きフラットケーブルの斜視図、図２（Ｂ）は図２（Ａ）の縦断面図、図２（Ｃ）（Ｄ）は図２（Ｂ）で端子を省略したＡ−Ａ線断面図及びＢ−Ｂ線断面図である。
【００２０】
本例におけるコネクタ付きフラットケーブルにおいては、フラットケーブル３の端部では、フラット絶縁被覆２に、コネクタハウジング５の仕切り壁８を挿入する切り離し部１７が設けられている。この切り離し部１７は、仕切り壁８の厚みより若干幅が大きいスリットにより形成されている。また、フラットケーブル３の端部では、その幅方向の両側に、コネクタハウジング５に挿入できるようにフラット絶縁被覆２を切除した切除部１８が設けられている。本例では、このようにフラットケーブル３の端部で、切除部１８によりフラット絶縁被覆２の幅方向の両端部を切除すると、切り離し部１７で切り離されたフラットケーブル独立絶縁導体１９は、それぞれ端子室６内に個々に挿入できる寸法になる。
【００２１】
このようなフラットケーブル３の端部で各フラット導体１に端子４が、前述した図１２（Ａ）（Ｂ）と同様にしてそれぞれ電気的・機械的に接続されている。
【００２２】
端子４付きのフラットケーブル３は、図２（Ａ）（Ｂ）に示す断面が丸形の電線用の既存のコネクタハウジング５の各端子室６に各端子４が収容され、これら端子４は各端子室６内の係止部材７に係止されている。
【００２３】
コネクタハウジング５の後部には、該コネクタハウジング５の後部外面の突起２０を利用して、この突起２０に凹部２１が係合されて支持され、コネクタハウジング５の後面が塞がれ且つフラットケーブル３を押さえるリテーナ９が配置されている。リテーナ９は、コネクタハウジング５の後部を蓋板２２と、この蓋板２２の上部内面に凹部２１を形成して設けられた係止部２３と、この蓋板２２の内面に突設されて各端子室６内に挿入される突起２４とにより形成されている。
【００２４】
このようにフラットケーブル３の端部のフラット絶縁被覆２に、コネクタハウジング５の仕切り壁８を挿入する切り離し部１７を設けると、この切り離し部１７を利用することによりフラットケーブル３の端部を、断面が丸形の電線用の既存のコネクタハウジング５に挿入することができ、このためコネクタハウジング５として断面が丸形の電線用の既存のコネクタハウジング５をそのまま使用でき、新たにフラットケーブル用のコネクタハウジングを設計して製作する必要がなくなる。このため断面が丸形の電線用の既存のコネクタハウジング５をそのまま使用できて、コネクタ１１のコストダウンを図ることができ、低コストでコネクタ付きフラットケーブルを形成することができる。
【００２５】
この場合、フラット絶縁被覆２の切り離し部１７を、仕切り壁８の厚みより大きいスリットにより形成すると、この切り離し部１７を利用して容易にフラットケーブル３を、断面が丸形の電線用の既存のコネクタハウジング５に挿入することができる。
【００２６】
また、フラットケーブル３の端部ではその幅方向の両側に、コネクタハウジング５に挿入できるようにフラット絶縁被覆２を切除した切除部１８を設けると、そのままではフラットケーブル３の端部でその幅方向の寸法が大きくて、断面が丸形の電線用の既存のコネクタハウジング５に挿入できないフラットケーブル３でも、その幅が小さくなって容易に該コネクタハウジング６に挿入することができる。
【００２７】
さらに、コネクタハウジング５の後部に、該コネクタハウジング５の後部外面の突起２０を利用して、この突起２０に係合してコネクタハウジング５の後面を塞ぎ且つフラットケーブル３を押さえるリテーナ９を配置すると、コネクタハウジング５の後部から端子室６への異物の侵入を防止できると共にコネクタハウジング５の外に存在するフラットケーブル３に外力が加わっても、フラットケーブル３と端子１１との接続部にその外力が作用して電気的接続状態に不都合が生ずるのを防止することができる。
【００２８】
図３は本発明が対象とするコネクタ付きフラットケーブルの構成を示す他の参考例を示したもので、フラットケーブルに対する端子の取付け後の状態を示す斜視図である。
【００２９】
この例で、端子４付きのフラットケーブル３では、フラットケーブル３の端部では、フラット絶縁被覆２に、コネクタハウジング５の仕切り壁８を挿入する切り離し部１７が設けられている。この切り離し部１７は、フラット絶縁被覆２に切れ目を入れて形成されている。
【００３０】
本例の端子４付きのフラットケーブル３では、その他の構成は第１例と同様になっており、対応する部分に同一符号を付けて示している。
【００３１】
このようにフラット絶縁被覆２に切れ目を入れて切り離し部１７を形成した例によれば、コネクタハウジング５の仕切り壁８が薄い場合に、この仕切り壁８を容易に切り離し部１７に挿入することができる。
【００３２】
図４及び図５は本発明に係るコネクタ付きフラットケーブルの第１の実施形態におけるフラットケーブルに対する端子の取付け後の状態を示す斜視図及びコネクタ付きフラットケーブルの縦断面図である。なお、前述した第１例と対応する部分には、同一符号を付けて示している。
【００３３】
本例のコネクタ付きフラットケーブルでは、フラット絶縁被覆２の切り離し部１７は、各フラット導体１にそれぞれ接続された端子４が各端子室６にそれぞれ挿入された状態で、コネクタハウジング５の仕切り壁８に対応する位置での切り離し幅Ｗａよりも、仕切り壁８から外れた位置での切り離し幅Ｗｂが狭くなっている。換言すれば、フラット絶縁被覆２の切り離し部１７での各フラット導体１の幅方向の両側のフラット絶縁被覆２の絶縁幅は、各フラット導体１にそれぞれ接続された端子４が各端子室６にそれぞれ挿入された状態で、コネクタハウジング５の仕切り壁８に対応する位置でのフラット絶縁被覆２の絶縁幅Ｗｃよりも、仕切り壁８から外れた位置でのフラット絶縁被覆２の絶縁幅Ｗｄが広くなっている。切除部１８はフラットケーブル３の端部から離れるにつれてフラット絶縁被覆２の絶縁幅が広くなるテーパ形に設けられている。その他の構成は、第１例と同様になっている。
【００３４】
このようにフラット絶縁被覆２の切り離し部１７が、各フラット導体１にそれぞれ接続された端子４が各端子室６にそれぞれ挿入された状態で、コネクタハウジング５の仕切り壁８に対応する位置での切り離し幅Ｗａよりも、仕切り壁８から外れた位置での切り離し幅Ｗｂが狭くなっていると、仕切り壁８に対応する位置では該仕切り壁８により隣接するフラット導体１が短絡するを防止でき、仕切り壁８から外れた位置ではフラット導体１の幅方向の両側のフラット絶縁被覆２の絶縁幅が広くなっていて隣接するフラット導体１が短絡するを防止できる。
【００３５】
また、フラット絶縁被覆２の切り離し部１７での各フラット導体１の幅方向の両側のフラット絶縁被覆２の絶縁幅を、各フラット導体１にそれぞれ接続された端子４が各端子室６にそれぞれ挿入された状態で、仕切り壁８に対応する位置でのフラット絶縁被覆２の絶縁幅Ｗｃよりも、仕切り壁８から外れた位置でのフラット絶縁被覆２の絶縁幅Ｗｄを広くすると、仕切り壁８に対応する位置では該仕切り壁８により隣接するフラット導体１が短絡するを防止でき、仕切り壁８から外れた位置ではフラット導体１の幅方向の両側のフラット絶縁被覆２の絶縁幅Ｗｄが広くなっていて隣接するフラット導体１が短絡するを防止できる。
【００３６】
図６乃至図８は本発明に係るコネクタ付きフラットケーブルの第２の実施形態を示したもので、図６は本例のコネクタ付きフラットケーブルの縦断面図、図７は図６のＣ−Ｃ線断面図、図８は本例で用いているコネクタハウジングの後部側から見た斜視図である。
【００３７】
本例のコネクタ付きフラットケーブルでは、コネクタハウジング５に、その後部側でフラットケーブル３を挿入する位置にスリット２５が設けられている。切除部１８はこれらスリット２５内に入るように設けられている。切り離し部１７は第１の実施形態と同様に設けられている。その他の構成は、第１の実施形態と同様になっている。
【００３８】
このような構造でも、第１の実施形態と同様な効果を得ることができる。
【００３９】
これら第１及び第２の実施形態のコネクタ付きフラットケーブルの効果を確認するため、従来の0.5 ｍｍ２  の丸電線に相当するフラット導体１で導体幅Ｗｅ＝1.5 ｍｍのフラットケーブル３を、仕切り壁８に対応する位置でのフラット絶縁被覆２の絶縁幅Ｗｃ＝0.15ｍｍの状態にトリミングしたサンプルを、温度60℃、湿度70％の雰囲気中で12Ｖ，10Ａの電流を各フラット導体１間に印加したところ、フラット導体１間の短絡は確認されなかった。
【００４０】
図９は本発明に係るコネクタ付きフラットケーブルの第３の実施形態を示した縦断面図である。
【００４１】
本例のコネクタ付きフラットケーブルでは、仕切り壁８がコネクタハウジング５の外壁５ａの基端と面一の状態になっている。その他の構成は、第２の実施形態と同様になっている。
【００４２】
このような構造でも、第２の実施形態と同様な効果を得ることができる。
【００４３】
なお、仕切り壁８をコネクタハウジング５の外壁５ａの基端と面一の状態にするのは、前述した本発明の各例にも同様に適用することができる。
【００４４】
特に、図２（Ｂ）に示した参考例に適用すると図１０のようになり、各端子室６内に挿入される突起２４には仕切り壁８が嵌まる凹部２６が設けられている。
【００４５】
上記例では、フラットケーブル３ではフラット導体１が２本の場合について説明したが、本発明はこれに限定されるものではなく、フラット導体１は２本以上であれは何本でもよい。これに対応してコネクタハウジング５の端子室６の数も、２つ以上でであれは何個でもよい。
【００４６】
【発明の効果】
本発明に係るコネクタ付きフラットケーブルにおいては、フラットケーブルの端部のフラット絶縁被覆に、コネクタハウジングの仕切り壁を挿入する切り離し部を設けているので、この切り離し部を利用することによりフラットケーブルの端部を、断面が丸形の電線用の既存のコネクタハウジングに挿入することができ、このためコネクタハウジングとして断面が丸形の電線用の既存のコネクタハウジングをそのまま使用でき、新たにフラットケーブル用のコネクタハウジングを設計して製作する必要がなくなる。このため断面が丸形の電線用の既存のコネクタハウジングをそのまま使用できて、コネクタのコストダウンを図ることができ、低コストでコネクタ付きフラットケーブルを形成することができる。
【００４７】
また、フラット絶縁被覆の切り離し部が仕切り壁の厚みより大きいスリットにより形成されていると、この切り離し部を利用して容易にフラットケーブルを、断面が丸形の電線用の既存のコネクタハウジングに挿入することができる。
【００４８】
また、フラット絶縁被覆の切り離し部が、各フラット導体にそれぞれ接続された端子が各端子室にそれぞれ挿入された状態で、仕切り壁に対応する位置での切り離し幅よりも、仕切り壁から外れた位置での切り離し幅が狭くなっていると、仕切り壁に対応する位置では該仕切り壁により隣接するフラット導体が短絡するを防止でき、仕切り壁から外れた位置ではフラット導体の幅方向の両側のフラット絶縁被覆の絶縁幅を広くして隣接するフラット導体が短絡するを防止できる。
【００４９】
また、フラット絶縁被覆の切り離し部での各フラット導体の幅方向の両側のフラット絶縁被覆の絶縁幅を、各フラット導体にそれぞれ接続された端子が各端子室にそれぞれ挿入された状態で、仕切り壁に対応する位置でのフラット絶縁被覆の絶縁幅よりも、仕切り壁の外の位置でのフラット絶縁被覆の絶縁幅を広くすると、仕切り壁に対応する位置では該仕切り壁により隣接するフラット導体が短絡するを防止でき、仕切り壁の外の位置ではフラット導体の幅方向の両側のフラット絶縁被覆の絶縁幅を広くして隣接するフラット導体が短絡するを防止できる。
【００５０】
また、フラットケーブルの端部ではその幅方向の両側に、コネクタハウジングに挿入できるようにフラット絶縁被覆を切除した切除部が設けられていると、そのままではフラットケーブルの端部でその幅方向の寸法が大きくて、断面が丸形の電線用の既存のコネクタハウジングに挿入できないフラットケーブルでも、その幅が小さくなって容易に該コネクタハウジングに挿入することができる。
【００５１】
さらに、コネクタハウジングの後部には、該コネクタハウジングの後部外面の突起を利用して、この突起に係合されてコネクタハウジングの後面を塞ぎ且つフラットケーブルを押さえるリテーナが配置されていると、コネクタハウジングの後部から端子室への異物の侵入を防止できると共にコネクタハウジングの外に存在するフラットケーブルに外力が加わっても、フラットケーブルと端子との接続部にその外力が作用して電気的接続状態に不都合が生ずるのを防止することができる。
【図面の簡単な説明】
【図１】  （Ａ）（Ｂ）は本発明が対象とするコネクタ付きフラットケーブルの構成の参考例を示したもので、フラットケーブルに対する端子の取付け前と後の状態を示す斜視図である。
【図２】  （Ａ）は本参考例のコネクタ付きフラットケーブルの斜視図、（Ｂ）は（Ａ）の縦ｎ断面図、（Ｃ）（Ｄ）は（Ｂ）で端子を省略したＡ−Ａ線断面図及びＢ−Ｂ線断面図である。
【図３】  本発明に係るコネクタ付きフラットケーブルの構成の他の参考例を示したもので、フラットケーブルに対する端子の取付け後の状態を示す斜視図である。
【図４】  本発明に係るコネクタ付きフラットケーブルの第１の実施形態におけるフラットケーブルに対する端子の取付け後の状態を示す斜視図である。
【図５】  本発明に係るコネクタ付きフラットケーブルの第１の実施形態の縦断面図である。
【図６】  本発明に係るコネクタ付きフラットケーブルの第２の実施形態を示す縦断面図である。
【図７】  図６のＣ−Ｃ線断面図である。
【図８】  第２の実施形態で用いているコネクタハウジングの後部側から見た斜視図である。
【図９】  本発明に係るコネクタ付きフラットケーブルの第３の実施形態の縦断面図である。
【図１０】  図２（Ｂ）に示すコネクタ付きフラットケーブルに図９に示した構成を適用した例を示す縦断面図である。
【図１１】  図１０の突起の縦断平面図である。
【図１２】  （Ａ）（Ｂ）は従来のコネクタ付きフラットケーブルでフラットケーブルに対する端子の取付け前と後の状態を示す斜視図、（Ｃ）は従来のコネクタ付きフラットケーブルの縦断面図、（Ｄ）は従来のリテーナの斜視図、（Ｅ）は（Ｄ）のＣ−Ｃ線矢視図である。
【符号の説明】
１  フラット導体
２  フラット絶縁被覆
３  フラットケーブル
４  端子
５  コネクタハウジング
６  端子室
７  係止部材
８  仕切り壁
９  リテーナ
１０  仕切り壁
１１  コネクタ
１２  端子本体
１３  首部
１４  クリンプ片
１５  蓋部材
１６  仕切り壁支持プレート
１７  切り離し部
１８切除部
１９  フラットケーブル独立絶縁導体
２０  突起
２１  凹部
２２  蓋板
２３  係止部
２４  突起
２５  スリット
２６  凹部
【図１】
0003802823.tif 000002
【図２】
0003802823.tif 000003
【図３】
0003802823.tif 000004
【図４】
0003802823.tif 000005
【図５】
0003802823.tif 000006
【図６】
0003802823.tif 000007
【図７】
0003802823.tif 000008
【図８】
0003802823.tif 000009
【図９】
0003802823.tif 000010
【図１０】
0003802823.tif 000011
【図１１】
0003802823.tif 000012
【図１２】
0003802823.tif 000013